(57)【要約】【課題】被加工部材や各構成部材に対する負荷の意図しない増大によって各構成部材が破損することを防止することができ、また、破損箇所の特定及び補修を容易ならしめる突き上げカム装置を提供すること。【解決手段】突き上げカム装置１は、Ｚ方向に移動自在なカムドライバ２と、Ｘ方向に移動自在であると共にカムドライバ２に摺動自在に接触しており、当該カムドライバ２のＺ１方向の移動においてＸ１方向に移動するカムスライド３と、Ｚ方向に移動自在であると共にカムスライド３に摺動自在に接触しており、カムスライド３のＸ１方向の移動においてＺ２方向に移動するカムスライド４と、カムドライバ２、カムスライド３及び４の夫々を移動自在に支持する支持手段５と、カムスライド３を初期位置に復帰させる復帰機構６とを具備している。【選択図】図１
2012110903.tif 000002
【特許請求の範囲】
【請求項１】
上下方向に移動自在なカムドライバと、横方向に移動自在であると共にカムドライバに摺動自在に接触しており、当該カムドライバの下方向の移動において横方向に移動する横方向カムスライドと、上下方向に移動自在であると共に横方向カムスライドに摺動自在に接触しており、当該横方向カムスライドの横方向の移動において上方向に移動する上下方向カムスライドと、カムドライバ、横方向カムスライド及び上下方向カムスライドの夫々を移動自在に支持する支持手段と、横方向カムスライドを初期位置に復帰させる復帰機構とを具備しており、カムドライバ、横方向カムスライド及び上下方向カムスライドのうちの少なくとも一つは、当該カムドライバ、横方向カムスライド及び上下方向カムスライド間において伝達される移動力に基づいて移動される第一移動部材と、前記移動力に基づいて第一移動部材に対して相対的に移動されるように隙間をもって配されている第二移動部材と、第一移動部材及び第二移動部材を連結して一体化している連結部材とを具備しており、連結部材は、第一移動部材及び第二移動部材間において当該連結部材を介して伝達される前記移動力が所定の移動力を超えた際に当該移動力の伝達を解除すべくせん断される脆弱部を有している突き上げカム装置。
【請求項２】
カムドライバが、前記第一移動部材、第二移動部材及び連結部材を具備しており、カムドライバの第一移動部材は、上下方向に移動自在であると共に横方向カムスライドに摺動自在に接触しており、カムドライバの第二移動部材は、上下方向に移動自在であり、カムドライバの第一移動部材に対して上下方向における隙間をもって配されていると共に当該第一移動部材に対して上方向に突出している突出部を有しており、カムドライバの連結部材の脆弱部は、カムドライバの第一移動部材及び第二移動部材間において伝達する上下方向の移動力が所定の移動力を超えた際に当該上下方向の移動力の伝達を解除すべくせん断されるようになっている請求項１に記載の突き上げカム装置。
【請求項３】
上下方向カムスライドが、前記第一移動部材、第二移動部材及び連結部材を具備しており、上下方向カムスライドの第一移動部材は、上下方向に移動自在であると共に横方向カムスライドに摺動自在に接触しており、上下方向カムスライドの第二移動部材は、上下方向に移動自在であり、上下方向カムスライドの第一移動部材に対して上下方向における隙間をもって配されていると共に当該第一移動部材に対して上方向に突出している突出部を有しており、上下方向カムスライドの連結部材の脆弱部は、上下方向カムスライドの第一移動部材及び第二移動部材間において伝達する上下方向の移動力が所定の移動力を超えた際に当該上下方向の移動力の伝達を解除すべくせん断されるようになっている請求項１に記載の突き上げカム装置。
【請求項４】
横方向カムスライドが、前記第一移動部材、第二移動部材及び連結部材を具備しており、横方向カムスライドの第一移動部材は、横方向に移動自在であると共にカムドライバに摺動自在に接触しており、横方向カムスライドの第二移動部材は、横方向に移動自在であり、横方向カムスライドの第一移動部材に対して横方向における隙間をもって配されていると共に上下方向カムスライドに摺動自在に接触しており、横方向カムスライドの連結部材の脆弱部は、横方向カムスライドの第一移動部材及び第二移動部材間において伝達する横方向の移動力が所定の移動力を超えた際に当該横方向の移動力の伝達を解除すべくせん断されるようになっている請求項１に記載の突き上げカム装置。
【発明の詳細な説明】
【技術分野】
【０００１】
本発明は、自動車等のパネルを加工するカム装置であって、傾斜したカム面を利用して加工用の工具を備えるカムスライドを、下から上に突き上げることにより曲げ加工等を行う突き上げカム装置に関する。
【背景技術】
【０００２】
例えば特許文献１及び２においては、移動金型によって上下移動されるドライバユニットと、このドライバユニットの傾斜カム面によって水平方向に移動される水平スライドユニットと、この水平スライドユニットの水平移動により上下方向に移動されると共に加工用の工具取付面を有する上下スライドユニットと、水平スライドユニットを元の位置に復帰させる弾性手段（復帰機構）と、これらのカム機構を有底矩形筒状のホルダユニットにおける略矩形状のカム収納空間内に収納してなる突き上げカム装置が提案されている。
【先行技術文献】
【特許文献】
【０００３】
【特許文献１】特開２００８−３０２４１２号公報
【特許文献２】特開２００８−３０７５４６号公報
【発明の概要】
【発明が解決しようとする課題】
【０００４】
ところで、斯かる突き上げカム装置では、ドライバユニット、水平スライドユニット及び上下スライドユニット等の各構成部材の移動量の微少誤差や当該突き上げカム装置に取り付けられた加工具のオフセット位置の変更や構成部材間及び金型と被加工部材との間への異物の介在等により被加工部材や各構成部材に意図しない負荷の増大を生じて破損に加えて金型自体の損傷を惹起する虞がある。また、斯かる突き上げカム装置の破損箇所が不特定であるため、破損箇所の特定に困難を極め、破損箇所によっては補修作業を終えるまでに多大な労力を要する場合がある。
【０００５】
本発明は、上記諸点に鑑みてなされたものであり、その目的とするところは、各構成部材や被加工部材への意図しない負荷の増大により金型まで破損が及ぶことを防止し、更には不特定箇所で破損することを回避することにより、破損箇所の特定ならびに補修を容易ならしめ、使用時における意図しない状況による損傷程度を極力抑えることができる突き上げカム装置を提供することにある。
【課題を解決するための手段】
【０００６】
本発明の突き上げカム装置は、上下方向に移動自在なカムドライバと、横方向に移動自在であると共にカムドライバに摺動自在に接触しており、当該カムドライバの下方向の移動において横方向に移動する横方向カムスライドと、上下方向に移動自在であると共に横方向カムスライドに摺動自在に接触しており、当該横方向カムスライドの横方向の移動において上方向に移動する上下方向カムスライドと、カムドライバ、横方向カムスライド及び上下方向カムスライドの夫々を移動自在に支持する支持手段と、横方向カムスライドを初期位置に復帰させる復帰機構とを具備しており、カムドライバ、横方向カムスライド及び上下方向カムスライドのうちの少なくとも一つは、当該カムドライバ、横方向カムスライド及び上下方向カムスライド間において伝達される移動力に基づいて移動される第一移動部材と、前記移動力に基づいて第一移動部材に対して相対的に移動されるように隙間をもって配されている第二移動部材と、第一移動部材及び第二移動部材を連結して一体化している連結部材とを具備しており、連結部材は、第一移動部材及び第二移動部材間において当該連結部材を介して伝達される前記移動力が所定の移動力を超えた際に当該移動力の伝達を解除すべくせん断される脆弱部を有している。
【０００７】
本発明の突き上げカム装置によれば、特に、カムドライバ、横方向カムスライド及び上下方向カムスライドのうちの少なくとも一つは、当該カムドライバ、横方向カムスライド及び上下方向カムスライド間において伝達される移動力に基づいて移動される第一移動部材と、前記移動力に基づいて第一移動部材に対して相対的に移動されるように隙間をもって配されている第二移動部材と、第一移動部材及び第二移動部材を連結して一体化している連結部材とを具備しており、連結部材は、第一移動部材及び第二移動部材間において当該連結部材を介して伝達される前記移動力が所定の移動力を超えた際に当該移動力の伝達を解除すべくせん断される脆弱部を有しているために、夫々移動されるカムドライバ、横方向カムスライド及び上下方向カムスライドの移動量の微少誤差や上下方向カムスライドに対する加工具のオフセット位置の変更や異物の介在等により連結部材が第一移動部材及び第二移動部材間において伝達する移動力が予め設定された所定の移動力を超える際には、連結部材の脆弱部がせん断によって優先的に破断し、移動力が与えられる第一移動部材及び第二移動部材のうちの一方は、第一移動部材及び第二移動部材の他方に対して隙間分移動を生じることができるようになり、これにより連結部材による第一移動部材及び第二移動部材間の移動力の伝達を解除することで、カムドライバ、横方向カムスライド及び上下方向カムスライド間での移動力の伝達を解除し、カムドライバ、横方向カムスライド及び上下方向カムスライドに与えられる意図しない移動力の増大並びに当該移動力の増大に基づいて支持手段及び復帰機構に意図しない負荷の増大が生じる虞をなくし得て、金型まで損傷が及ぶことを抑制し得、更に当該カムユニットの構成部材であるカムドライバ、横方向カムスライド、上下方向カムスライド、支持手段及び復帰機構の中の不特定な箇所での破損を防止することにより損傷程度を極力抑えることができ、また、上述のように突き上げカム装置に与えられる移動力の意図しない増大が生じた際には、カムドライバ、横方向カムスライド、上下方向カムスライド、支持手段並びに復帰機構（カムドライバ、横方向カムスライド及び上下方向カムスライドのうちの少なくとも一つが具備する連結部材を除く）に先んじて、連結部材の脆弱部に破断が生じるので、破損箇所の特定が簡単であり、而して、破損箇所の特定及び補修が容易となる。
【０００８】
本発明の突き上げカム装置では、カムドライバが前記第一移動部材、第二移動部材及び連結部材を具備していてもよく、斯かる場合には、カムドライバの第一移動部材は、上下方向に移動自在であると共に横方向カムスライドに摺動自在に接触しており、カムドライバの第二移動部材は、上下方向に移動自在であり、カムドライバの第一移動部材に対して上下方向における隙間をもって配されていると共に当該第一移動部材に対して上方向に突出している突出部を有しており、カムドライバの連結部材の脆弱部は、カムドライバの第一移動部材及び第二移動部材間において伝達する上下方向の移動力が所定の移動力を超えた際に当該上下方向の移動力の伝達を解除すべくせん断されるようになっている。斯かる突き上げカム装置によれば、カムドライバに配された連結部材の脆弱部において優先的にせん断による破断を生じさせ得る。
【０００９】
本発明の突き上げカム装置では、上下方向カムスライドが、前記第一移動部材、第二移動部材及び連結部材を具備していてもよく、斯かる場合には、上下方向カムスライドの第一移動部材は、上下方向に移動自在であると共に横方向カムスライドに摺動自在に接触しており、上下方向カムスライドの第二移動部材は、上下方向に移動自在であり、上下方向カムスライドの第一移動部材に対して上下方向における隙間をもって配されていると共に当該第一移動部材に対して上方向に突出している突出部を有しており、上下方向カムスライドの連結部材の脆弱部は、上下方向カムスライドの第一移動部材及び第二移動部材間において伝達する上下方向の移動力が所定の移動力を超えた際に当該上下方向の移動力の伝達を解除すべくせん断されるようになっている。斯かる突き上げカム装置によれば、上下方向カムスライドに配された連結部材の脆弱部において優先的にせん断による破断を生じさせ得る。
【００１０】
本発明の突き上げカム装置では、横方向カムスライドが、前記第一移動部材、第二移動部材及び連結部材を具備していてもよく、斯かる場合には、横方向カムスライドの第一移動部材は、横方向に移動自在であると共にカムドライバに摺動自在に接触しており、横方向カムスライドの第二移動部材は、横方向に移動自在であり、横方向カムスライドの第一移動部材に対して横方向における隙間をもって配されていると共に上下方向カムスライドに摺動自在に接触しており、横方向カムスライドの連結部材の脆弱部は、横方向カムスライドの第一移動部材及び第二移動部材間において伝達する横方向の移動力が所定の移動力を超えた際に当該横方向の移動力の伝達を解除すべくせん断されるようになっている。斯かる突き上げカム装置によれば、横方向カムスライドに配された連結部材の脆弱部において優先的にせん断による破断を生じさせ得る。
【発明の効果】
【００１１】
本発明によれば、突き上げカム装置の各構成部材や被加工部材への意図しない負荷の増大の発生時にカム装置の特定箇所で優先的に破損を生じさせることにより金型まで破損が及ぶことを防止し、更には当該カム装置の不特定箇所で破損することを防止することにより、破損箇所の特定ならびに補修を容易ならしめ、当該カム装置の使用時における意図しない状況による当該カム装置の損傷程度や補修に必要とする労力を極力抑えることができる突き上げカム装置を提供し得る。
【図面の簡単な説明】
【００１２】
【図１】本発明の実施の形態の例の一部展開斜視説明図である。
【図２】図１に示す例の断面説明図である。
【図３】図１に示す例の平面説明図である。
【図４】図２に示す例のＩＶ−ＩＶ線矢視断面説明図である。
【図５】図２に示される連結部材の拡大斜視説明図である。
【図６】図１に示す例の動作説明図である。
【図７】図１に示す例の動作説明図である。
【図８】図２に示される上下方向スライドに代えて用いられる他の上下方向スライドの説明図である。
【図９】図２に示される横方向スライドに代えて用いられる他の横方向スライドの説明図である。
【図１０】（ａ）、（ｂ）及び（ｃ）は、図２、図８及び図９に示される連結部材の脆弱部の説明図である。
【図１１】突き上げカム装置の工具取付部に取り付けられた加工具の動作説明図である。
【発明を実施するための形態】
【００１３】
次に本発明を、図に示す好ましい実施の形態の例に基づいて更に詳細に説明する。なお、本発明はこれら例に何等限定されないのである。
【実施例】
【００１４】
図１から図７において、本例の突き上げカム装置１は、上下方向としてのＺ方向に移動自在なカムドライバ２と、Ｚ方向に対して直交する横方向としてのＸ方向に移動自在であると共にカムドライバ２に摺動自在に接触しており、当該カムドライバ２の下方向としてのＺ１方向の移動においてＸ１方向に移動する横方向カムスライド３（以下、カムスライド３と称する）と、Ｚ方向に移動自在であると共にカムスライド３に摺動自在に接触しており、当該カムスライド３のＸ１方向の移動において上方向としてのＺ２方向に移動する上下方向カムスライド４（以下、カムスライド４と称する）と、カムドライバ２、カムスライド３及び４の夫々を移動自在に支持する支持手段５と、カムスライド３を図２に示す初期位置に復帰させる復帰機構６とを具備している。
【００１５】
支持手段５は、底壁１１と、底壁１１に取り付けられている前壁１２及び後壁１３と、Ｘ方向において前壁１２及び後壁１３間に配され、Ｘ方向及びＺ方向に直交するＹ方向において底壁１１を間にして対面して配されていると共に、底壁１１、前壁１２及び後壁１３に取り付けられている一対の側壁１４及び１５とを具備している。底壁１１、前壁１２、後壁１３並びに側壁１４及び１５はボルト１６を介して夫々互いに取り付けられている。底壁１１、前壁１２、後壁１３並びに側壁１４及び１５は、カムドライバ２、カムスライド３及びカムスライド４を収容する空間を有する一つのカムホルダを形成している。底壁１１の内面３１は、カムスライド３にＸ方向に摺動自在に接しており、前壁１２の内面３２は、カムスライド４にＺ方向に摺動自在に接しており、後壁１３の内面３３は、カムドライバ２にＺ方向に摺動自在に接しており、側壁１４及び１５の内面３４及び３５は、カムドライバ２及びカムスライド４にＺ方向に接していると共にカムスライド３にＸ方向に摺動自在に接している。底壁１１には復帰機構６が装着されている。斯かる支持手段５は、カムドライバ２及びカムスライド４をＺ方向に、カムスライド３をＸ方向に夫々案内するように形成されている。
【００１６】
カムドライバ２並びにカムスライド３及び４のうちの少なくとも一つは、当該カムドライバ２並びにカムスライド３及び４間において伝達される移動力に基づいて移動される第一移動部材と、前記移動力に基づいて第一移動部材に対して相対的に移動され得るように隙間をもって配されている第二移動部材と、当該第一移動部材及び第二移動部材を連結して一体化している連結部材とを具備しており、連結部材は、第一移動部材及び第二移動部材間において当該連結部材を介して伝達される前記移動力が所定の移動力を超えた際に当該移動力の伝達を解除すべくせん断される脆弱部を有している。本例においては、カムドライバ２が前記第一移動部材、第二移動部材及び連結部材を具備しているものとして、以下、符号を用いて詳細に説明する。カムドライバ２は、カムスライド３に摺動自在に接触しているＺ方向に移動自在な第一移動部材２１（以下、移動部材２１と称する）と、移動部材２１に対して下面５２にＺ方向における隙間２２をもって対面して配されていると共に移動部材２１の上面４８に対してＺ２方向に突出している突出部２３を有しているＺ方向に移動自在な第二移動部材２４（以下、移動部材２４と称する）と、Ｚ方向の移動力を移動部材２１及び移動部材２４間において伝達するように、移動部材２１と移動部材２４とを連結している連結部材２５とを具備している。
【００１７】
移動部材２１は、後壁１３の内面３３並びに側壁１４及び１５の内面３４及び３５にＺ方向に案内されるようにＺ方向に摺動自在に接している本体４１と、Ｚ方向に伸びる線に対して傾斜して本体４１の底部に形成されていると共にカムスライド３に摺動自在に接している傾斜面４２と、移動部材２４に接触して本体４１に形成されている接触面４３と、移動部材２４の下面５２に対してＺ１方向側に所定の隙間をもって対面して位置するように本体４１に形成されている受け部４４と、連結部材２５が部分的に嵌挿されるように接触面４３からＸ２方向に伸びて本体４１を貫通して形成されていると共に接触面４３において開口している孔４５を具備している。本例では、孔４５を具備しているが、これが凹部であってもかまわない。傾斜面４２は、後壁１３側に向かうＸ２方向において底壁１１に漸次接近するように傾斜している。また、本体４１には、後壁１３の内面３３にＺ方向に摺動自在に接している後面４７に、凹状であってＺ方向に伸びているスリット５６が形成されており、後壁１３の上面１７には、スリット５６に配される突出部を有する係止部材５７がボルト等により着脱自在に装着されている。スリット５６は本体４１の上面４８において開口しており、本体４１の後面４７において上面４８側からＺ１方向に向かう途中で閉塞面５８によって閉塞されている。係止部材５７は、カムドライバ２が過度にＺ２方向に移動した際に本体４１のスリット５６の閉塞面５８に係合してそのＺ２方向の移動を阻止するようになっており、これにより、意図しないカムドライバ２の脱落を防止し得る。
【００１８】
移動部材２４は、側壁１４及び１５の内面３４及び３５並びに摺動プレート８５の摺動面９２にＺ方向に案内されるように摺動自在に接していると共に、下面５２が移動部材２１の受け部４４に対してＺ２方向側に所定の隙間をもって配されている本体５１と、移動部材２１の接触面４３と連結部材２５を介して接するように本体５１に形成されている接触面５３と、連結部材２５が部分的に嵌挿されるように接触面５３からＸ１方向に伸びて本体５１内部に形成されていると共に接触面５３において開口し、本体５１内部で閉塞している凹所５５と、上面２６が移動部材２１の本体４１の上面４８に対してＺ２方向に突出して本体５１に一体的に設けられている突起部２３とを具備している。本例では、凹所５５を具備しているが、これが孔であってもかまわない。
【００１９】
連結部材２５は、Ｚ方向に伸びる線に対して交差する方向、本例ではＸ方向に伸びた本体６１と、本体６１に形成されていると共に、移動部材２１及び２４間において伝達するＺ方向の移動力が所定の移動力を超えた際に当該Ｚ方向の移動力の伝達を解除すべくせん断される脆弱部６２とを有している。本体６１は、本例では、例えば図５に示すように円柱状であり、脆弱部６２はＸ方向において本体６１の中間部に配設されている。脆弱部６２は、本体６１の一部が縮径されることによって形成されている。斯かる連結部材２５は、本体６１が移動部材２１の孔４５及び移動部材２４の凹所５５に嵌挿され且つ脆弱部６２が孔４５及び凹所５５の接触面４３及び５３における開口に配設されることによって、移動部材２１及び２４間においてＺ方向の移動力を伝達する一方、所定のＺ方向の移動力を超えるＺ方向の移動力の伝達を解除するようになる。前記所定の移動力は、連結部材２５の脆弱部６２が突き上げカム装置１の各構成部材（連結部材２５を除く）に先んじてせん断破断される程度であって前記各構成部材に破損を生じさせない程度の移動力に予め設定されている。
【００２０】
斯かるカムドライバ２は、油圧ラム等の作動で上型を介してＺ１方向の移動力が移動部材２４の突出部２３の上面２６に対して与えられると、移動部材２４の本体５１にＺ１方向の移動力が生じると共に当該Ｚ１方向の移動力が連結部材２５を介して移動部材２１の本体４１に伝達され、而して、移動部材２１、移動部材２４及び連結部材２５が、後壁１３、側壁１４及び１５の夫々の内面３３、３４及び３５並びに摺動プレート８５の摺動面９２に案内されながらＺ１方向に移動される。このカムドライバ２のＺ１方向の移動において移動部材２１の傾斜面４２はカムスライド３の傾斜面７２上を斜め下方向Ｘ２Ｚ１に摺動し、これによりカムスライド３はＸ方向において前壁１２側に向かうＸ１方向の移動力を生じて図６に示すように当該Ｘ１方向に移動される。
【００２１】
また、カムドライバ２は、Ｘ方向において後壁１３側に向かうカムスライド３のＸ２方向の移動に基づいて移動部材２１の傾斜面４２がカムスライド３の傾斜面７２上を斜め下方向Ｘ２Ｚ１とは逆方向である斜め上方向Ｘ１Ｚ２に摺動する際には、移動部材２１、移動部材２４及び連結部材２５にＺ２方向の移動力が生じて当該Ｚ２方向に移動し、図２に示す初期位置に復帰する。
【００２２】
例えば、カムドライバ２のＺ１方向の移動において、連結部材２５の脆弱部６２への移動部材２４から移動部材２１に伝達するＺ１方向の移動力が所定の移動力を超えた際には、図７に示すように、連結部材２５の脆弱部６２にせん断によって破断が生じ、移動部材２４が瞬時に隙間２２分だけＺ１方向に移動し、上型からの移動部材２４へのＺ１方向の移動力の伝達が解除され、これにより、連結部材２５による移動部材２４及び移動部材２１間のＺ１方向の移動力の伝達は解除されて、カムドライバ２からカムスライド３へのＸ１方向の移動力並びにカムスライド３からカムスライド４へのＺ２方向の移動力も解除される。移動部材２４は移動部材２１に対して隙間２２のＺ方向における幅分だけ移動可能となり、移動部材２４が移動部材２１に対して前記幅分だけＺ１方向に移動し、移動部材２４の本体５１が移動部材２１の受け部４４に受け止められる。
【００２３】
カムスライド３は、底壁１１の内面３１並びに側壁１４及び１５の内面３４及び３５にＸ方向に案内されるようにこれらにＸ方向に摺動自在に接しているスライド本体７１と、Ｘ方向に伸びる線に対して傾斜してスライド本体７１に形成されていると共にカムドライバ２の傾斜面４２に摺動自在に接している傾斜面７２と、傾斜面７２に対して前壁１２側に配されており、Ｘ方向に伸びる線に対して傾斜面７２とは逆方向に傾斜していると共にカムスライド４に摺動自在に接している傾斜面７３と、当該傾斜面７３が形成されていると共にカムスライド４に傾斜面７３に沿って摺動自在に係合するようにスライド本体７１に配設された係合体７４とを具備している。
【００２４】
傾斜面７２は、Ｘ２方向において底壁１１に漸次接近するように傾斜しており、傾斜面７３は、Ｘ１方向において底壁１１に漸次接近するように傾斜している。
【００２５】
係合体７４は、例えば図４に示すように、断面略Ｔ字状であり、Ｙ方向に突出した一対の係合突出部７５及び７６を有している。斯かる係合体７４には、前記傾斜面７３が形成されており、この傾斜面７３においてカムスライド４に摺動自在に接している。
【００２６】
斯かるカムスライド３は、カムドライバ２のＺ１方向の移動に基づいて傾斜面７２がカムドライバ２の傾斜面４２に対して摺動されると、Ｘ１方向の移動力を生じて底壁１１の内面３１並びに側壁１４及び１５の内面３４及び３５に案内されながらＸ１方向に移動し、このＸ１方向の移動により傾斜面７３をカムスライド４に対して摺動させて当該カムスライド４にＺ２方向の移動力を与え、而して、カムスライド４をＺ２方向に移動させるようになっている。
【００２７】
カムスライド４は、前壁１２の内面３２、側壁１４及び１５の内面３４及び３５並びに摺動プレート８５を介してカムドライバ２の移動部材２４の前面２７にＺ方向に案内されるようにＺ方向に摺動自在に接しているスライド本体８１と、Ｚ方向に伸びる線に対して傾斜していると共にカムスライド３の傾斜面７３に摺動自在に接している傾斜面８２と、当該傾斜面８２が形成されていると共にカムスライド３の傾斜面７３に摺動自在に係合されるようにスライド本体８１に配設された被係合体８３と、図２において支持手段５からＺ２方向に突出しているスライド本体８１の上面９３に配された工具取付部８４とを具備している。傾斜面８２はＸ１方向において底壁１１に漸次接近するように傾斜している。尚、スライド本体８１には、側壁１４及び１５の夫々の内面３４及び３５に対して凹状であってＺ方向に伸びてＺ２方向の夫々の上面９４及び９５並びにＺ１方向の夫々の下面９６及び９７で夫々閉塞されている一対の凹所８６及び８７が形成されており、側壁１４の上面１８には、凹所８６に配される突出部を有する係止部材８８がボルト等により着脱自在に装着されており、側壁１５の上面１９には、凹所８７に配される突出部を有する係止部材８９がボルト等により着脱自在に装着されている。係止部材８８及び８９は、カムスライド４が過度にＺ方向に移動した際にスライド本体８１の一対の凹所８６及び８７の夫々の上面９４及び９５に係合してそのＺ方向の移動を阻止するようになっており、これにより、意図しないカムスライド４の脱落を防止し得る。
【００２８】
カムスライド４のスライド本体８１は、カムドライバ２の移動部材２４に隣接しており、スライド本体８１と移動部材２４とのＸ方向における隙間には摺動プレート８５が配されており、これにより、カムスライド４は、カムドライバ２に対してＺ方向に摺動自在となっている。摺動プレート８５はスライド本体８１にボルト等によって取り付けられている。
【００２９】
被係合体８３は、例えば図４に示すように、断面略Ｌ字状の一対のＬ字状部材９０及び９１からなり、Ｌ字状部材９０及び９１は、係合体７４の係合突出部７５及び７６を夫々囲っている。斯かる被係合体８３には、前記傾斜面８２が形成されており、この傾斜面８２においてカムスライド３の傾斜面７３に摺動自在に接している。被係合体８３が係合体７４に係合されていると、カムスライド４はカムスライド３の傾斜面７３に対して相対的に移動自在であるが、カムスライド４とカムスライド３との接触状態は維持される。
【００３０】
斯かるカムスライド４は、カムスライド３のＸ１方向の移動に基づいて傾斜面８２がカムスライド３の傾斜面７３に対して摺動されると、Ｚ２方向の移動力を生じて前壁１２の内面３２、側壁１４及び１５の内面３４及び３５並びに摺動プレート８５を介してカムスライド２の移動部材２４の前面２７に案内されながらＺ２方向に移動し、而して、工具取付部８４をＺ２方向に移動させるようになっている。工具取付部８４に取り付けられた曲げ刃等の加工具は、前記カムスライド４のＺ２方向の移動に基づいて被加工部材に曲げ加工等の加工を行い得る。
【００３１】
復帰機構６は、一端部６４が底壁１１の前壁１２側に固定されているＸ方向に伸びたロッド６５と、ロッド６５を取り巻いてロッド６５と同心に配されたコイルばね６６と、ロッド６５の一端部６４に固着されていると共にコイルばね６６の一端部６７側からの弾性伸長力を受容するばね受け６８と、ばね受け６８と協働してコイルばね６６に初期圧縮力を与えると共にコイルばね６６の他端部６９側から受容する弾性伸長力をカムスライド３に伝達する伝達部材７０とを具備している。伝達部材７０は、ロッド６５に対してＸ方向に移動自在であると共にカムスライド３のスライド本体７１にボルト等により固着されている。
【００３２】
斯かる復帰機構６は、カムドライバ２のＺ１方向の移動に基づいてカムスライド３がＸ１方向に移動された際には、伝達部材７０もまた図６に示すようにＸ１方向に移動されてコイルばね６６が圧縮されて、その弾性伸長力が漸増する。上型等からカムドライバ２の移動部材２４に対するＺ１方向の移動力の付与が終了した際には、コイルばね６６が伸長してカムスライド３をＸ２方向に移動させて図２に示す初期位置に復帰させる。尚、カムスライド３がＸ２方向に移動する場合、カムドライバ２はＺ２方向に移動される一方、カムスライド４は、係合体７４及び被係合体８３を介してカムスライド３に係合されているため、Ｚ１方向に引っ張られてＺ１方向に移動され、これにより、カムスライド４の工具取付部８４に取り付けられた加工具を被加工部材から確実に離反させ得る。
【００３３】
斯かる突き上げカム装置１では、上述のように上型によりカムドライバ２の移動部材２４にＺ１方向の移動力が与えられると、カムドライバ２の移動部材２１が移動部材２４と共にＺ１方向に、カムスライド３がＸ１方向に、カムスライド４がＺ２方向に夫々移動し、而して、カムスライド４の工具取り付け部８４に取り付けられた曲げ刃等の加工具を上昇させて被加工部材を加工する。また、上述のようにカムドライバ２の移動部材２４に対する上型からのＺ１方向の移動力の付与が終了すると、復帰機構６の弾性的な復帰力によりカムスライド３をＸ２方向に移動させ、この移動により、カムドライバ２の移動部材２１及び移動部材２４をＺ２方向に、カムスライド４をＺ１方向に夫々移動させ、而して、移動部材２１及び移動部材２４から構成されたカムドライバ２、カムスライド３及びカムスライド４を夫々初期位置に復帰させると共に、カムスライド４の工具取り付け部８４に取り付けられた加工具を下降させて被加工部材から離反させる。
【００３４】
しかしながら、夫々移動されるカムドライバ２、カムスライド３及びカムスライド４の移動量の微少誤差や工具取付部８４に対する加工具のオフセット位置の変更や異物の介在等によりカムドライバ２の移動部材２１の接触面４３とカムドライバ２の移動部材２４の接触面５３に接触部界面を中心として移動部材２４の本体５１の内部のＸ１方向及び移動部材２１の本体４１の内部のＸ２方向にそれぞれ伸びた連結部材２５に付与される移動力がカムドライバ２の移動部材２１及び移動部材２４間の予め設定された所定のＺ方向の移動力を超える際には、図７に示すように連結部材２５の脆弱部６２がせん断によって優先的に破断し、Ｚ方向の移動力が与えられる移動部材２１及び移動部材２４のうちの一方は、移動部材２１及び移動部材２４の他方に対して移動を生じることができるようになり、上型及び移動部材２４間のＺ方向の移動力の伝達が解除され、これにより、連結部材２５によるカムドライバ２の移動部材２４及び移動部材２１間のＺ方向の移動力の伝達は解除されることで、カムドライバ２、カムスライド３及びカムスライド４間でのＺ方向の移動力の伝達を解除し、カムドライバ２、カムスライド３及びカムスライド４に与えられる意図しない移動力の増大及び当該移動力の増大に基づいて支持手段５及び復帰機構６に意図しない負荷の増大が生じる虞をなくし得て、金型まで損傷が及ぶことを抑制し得、更に特定箇所であるカムドライバ２内に配した連結部材２５の脆弱部６２が優先的に破壊するので、当該突き上げカム装置１の構成部材であるカムドライバ２、カムスライド３、カムスライド４、支持手段５及び復帰機構６の中の不特定な箇所での破損を防止することにより損傷程度を極力抑えることができる。また、上述のように突き上げカム装置１に与えられる移動力の意図しない増大が生じた際には、カムドライバ２（連結部材２５を除く）、カムスライド３、カムスライド４、支持手段５並びに復帰機構６に先んじて、連結部材２５の脆弱部６２に優先的に破断が生じるので、破損箇所の特定が簡単であり、而して、破損箇所の特定及び補修が容易となる。
【００３５】
尚、図１１は、本例の突き上げカム装置１によって上昇、下降される加工具としての曲げ刃１２０による被加工部材１２１の曲げ加工に関する説明図である。カムスライド４の工具取付部８４に取り付けられた曲げ刃１２０は、カムスライド４の上昇において被加工部材１２１に接触し、上型１２２と協働して被加工部材１２１に曲げ加工を行う。曲げ加工完了後、曲げ刃１２０は、カムスライド４の下降により被加工部材１２１から離反する。符号１２３は下型であり、上型とともに被加工部材１２１を挟持している。
【００３６】
本例の突き上げカム装置１によれば、Ｚ方向に移動自在なカムドライバ２と、Ｘ方向に移動自在であると共にカムドライバ２に摺動自在に接触しており、当該カムドライバ２のＺ１方向の移動においてＸ１方向に移動するカムスライド３と、Ｚ方向に移動自在であると共にカムスライド３に摺動自在に接触しており、当該カムスライド３のＸ１方向の移動においてＺ２方向に移動するカムスライド４と、カムドライバ２、カムスライド３及びカムスライド４の夫々を移動自在に支持する支持手段５と、カムスライド３を初期位置に復帰させる復帰機構６とを具備しており、カムドライバ２並びにカムスライド３及び４のうちの少なくとも一つとしてのカムドライバ２は、当該カムドライバ２並びにカムスライド３及びカムスライド４間において伝達される移動力に基づいて移動される移動部材２１と、前記移動力に基づいて移動部材２１に対して相対的に移動され得るように隙間２２をもって配されている移動部材２４と、移動部材２１及び２４を連結して一体化している連結部材２５とを具備しており、連結部材２５は、移動部材２１及び２４間において当該連結部材２５を介して伝達される前記移動力が所定の移動力を超えた際に当該移動力の伝達を解除すべくせん断される脆弱部６２を有しており、詳細には、カムドライバ２は、カムスライド３に摺動自在に接触しているＺ方向に移動自在な移動部材２１と、移動部材２１の本体４１に形成されている受け部４４に対して本体５１に形成されている下面５２にＺ方向における隙間２２をもって対面して配されていると共に移動部材２１の本体４１の上面４８に対してＺ２方向に突出している突出部２３を有しているＺ方向に移動自在な移動部材２４と、Ｚ方向の移動力を移動部材２１及び２４間において伝達するように、移動部材２１と移動部材２４とを連結している連結部材２５とを具備しており、連結部材２５は、移動部材２１及び２４間において伝達するＺ方向の移動力が所定の移動力を超えた際に当該Ｚ方向の移動力の伝達を解除すべくせん断される脆弱部６２を有しているために、夫々移動されるカムドライバ２、カムスライド３及びカムスライド４の移動量の微少誤差やカムスライド４に対する加工具のオフセット位置の変更、異物の介在等により連結部材２５に付与される移動力がカムドライバ２の移動部材２１及び２４間において伝達する予め設定された所定のＺ方向の移動力を超える際には、連結部材２５の脆弱部６２がせん断によって優先的に破断し、Ｚ方向の移動力が与えられる移動部材２１及び移動部材２４のうちの一方は、移動部材２１及び移動部材２４の他方に対して移動を生じることができるようになり、上型及び移動部材２４間のＺ方向の移動力の伝達が解除され、これにより、連結部材２５によるカムドライバ２の移動部材２４及び移動部材２１間のＺ方向の移動力の伝達は解除することで、カムドライバ２及びカムスライド３間のＸ方向への移動力並びにカムスライド３及びカムスライド４間のＺ方向の移動力の伝達を解除し、カムドライバ２、カムスライド３及び４に与えられる移動力の意図しない増大及び当該移動力の増大に基づいて支持手段５及び復帰機構６に負荷の意図しない増大が生じる虞をなくし得て、金型並びに当該突き上げカム装置１の構成部材であるカムドライバ２、カムスライド３及び４、支持手段５並びに復帰機構６の破損を防止することができる。また、上述のように突き上げカム装置１に与えられる移動力の意図しない増大が生じた際には、カムドライバ２（連結部材２５を除く）、カムスライド３及び４、支持手段５並びに復帰機構６に先んじて、連結部材２５が破断するので、破損箇所の特定及び補修が容易となる。
【００３７】
突き上げカム装置１は、上述ではカムスライド４の構造を有する上下方向カムスライドを具備しているが、これに代えて、例えば図８に示すように、カムドライバ２、カムスライド３及び後述のカムスライド１０７間において伝達される移動力に基づいて移動される移動部材１０１と、前記移動力に基づいて移動部材１０１に対して相対的に移動され得るように隙間１０２をもって配されている移動部材１０４と、移動部材１０１及び１０４を連結して一体化している連結部材１０５とを具備しており、連結部材１０５は、移動部材１０１及び１０４間において当該連結部材１０５を介して伝達される前記移動力が所定の移動力を超えた際に当該移動力の伝達を解除すべくせん断される脆弱部１０６を有しているＺ方向に移動自在なカムスライド１０７を具備していてもよく、詳細には、カムスライド３に摺動自在に接触しているＺ方向に移動自在な移動部材１０１と、移動部材１０１に対してＺ方向における隙間１０２をもって配されていると共に移動部材１０１に対してＺ２方向に突出している突出部１０３を有しているＺ方向に移動自在な移動部材１０４と、Ｚ方向の移動力を移動部材１０１及び１０４間において伝達するように、移動部材１０１と移動部材１０４とを連結している連結部材１０５とを具備しており、連結部材１０５は、移動部材１０１及び１０４間において伝達するＺ方向の移動力が所定の移動力を超えた際に当該Ｚ方向の移動力の伝達を解除すべくせん断される脆弱部１０６を有しているＺ方向に移動自在なカムスライド１０７を具備していてもよい。
【００３８】
突き上げカム装置１は、上述ではカムスライド３の構造を有する横方向カムスライドを具備しているが、これに代えて、例えば図９に示すように、カムドライバ２、後述のカムスライド１１７及びカムスライド４若しくは１０７間において伝達される移動力に基づいて移動される移動部材１１１と、前記移動力に基づいて移動部材１１１に対して相対的に移動され得るように隙間１１２をもって配されている移動部材１１４と、移動部材１１１及び１１４を連結して一体化している連結部材１１５とを具備しており、連結部材１１５は、移動部材１１１及び１１４間において当該連結部材１１５を介して伝達される前記移動力が所定の移動力を超えた際に当該移動力の伝達を解除すべくせん断される脆弱部１１６を有しているＸ方向に移動自在なカムスライド１１７を具備していてもよく、詳細には、カムドライバ２に摺動自在に接触しているＸ方向に移動自在な移動部材１１１と、移動部材１１１に対してＸ方向における隙間１１２をもって配されていると共にカムスライド４に摺動自在に接触しているＸ方向に移動自在な移動部材１１４と、Ｘ方向の移動力を移動部材１１１及び１１４間において伝達するように、移動部材１１１と移動部材１１４とを連結している連結部材１１５とを具備しており、連結部材１１５は、移動部材１１１及び移動部材１１４間において伝達するＸ方向の移動力が所定の移動力を超えた際に当該Ｘ方向の移動力の伝達を解除すべくせん断される脆弱部１１６を有しているＸ方向に移動自在なカムスライド１１７を具備していてもよい。
【００３９】
突き上げカム装置１が図８及び図９に示すカムスライド１０７及び１１７のうちの少なくとも一方を具備している場合には、突き上げカム装置１は、カムドライバ２に代えて、例えば、連結部材２５の構成が省略されていると共に移動部材２１及び２４が互いに一体的に形成されているカムドライバ（図示せず）を具備していてもよく、斯かる場合においても、カムスライド１０７がカムドライバ２と同様に脆弱部１０６にせん断によって破断を生じさせ得、カムスライド１１７がカムドライバ２と同様に脆弱部１１６にせん断によって破断を生じさせ得るので、上記同様の効果を奏し得る。
【００４０】
尚、本例の突き上げカム装置１では、連結部材２５を装着してなるカムドライバ２を具備しているが、連結部材２５が装着されたカムドライバ２、連結部材１０５が装着されたカムスライド１０７及び連結部材１１５が装着されたカムスライド１１７のうちの少なくとも一つを具備している突き上げカム装置であればよく、斯かる突き上げカム装置１によれば上記同様の効果を奏し得る。
【００４１】
連結部材２５、１０５及び１１５は、機械構造用炭素鋼、機械構造用合金鋼、ステンレス鋼等の鉄系材料又は高力黄銅（ＣＡＣ３０４等）、アルミニウム青銅（ＣＡＣ７０３等）の銅合金系材料からなっていてもよい。機械構造用炭素鋼としては、Ｓ４５Ｃ等があり、機械構造用合金鋼としては、クロムモリブデン鋼（ＳＣＭ）、ニッケルクロム鋼（ＳＮＣ）、ニッケルクロムモリブデン鋼（ＳＮＣＭ）等があり、ステンレス鋼としては、オーステナイトステンレス鋼（ＳＵＳ３０４等）、マルテンサイトステンレス鋼（ＳＵＳ４２０Ｊ１等）等がある。連結部材２５、１０５及び１１５の脆弱部６２、１０６及び１１６の夫々の側断面形状は、例えば図１０の（ａ）に示すようにＵ字形状であってもよく、図１０の（ｂ）に示すようにコの字形状であってもよく、また、図１０の（ｃ）に示すようにＶ字形状であってもよい。
【符号の説明】
【００４２】
１  突き上げカム装置
２  カムドライバ
３、４、１０７、１１７  カムスライド
５  支持手段
６  復帰機構
【図１】
2012110903.tif 000003
【図２】
2012110903.tif 000004
【図３】
2012110903.tif 000005
【図４】
2012110903.tif 000006
【図５】
2012110903.tif 000007
【図６】
2012110903.tif 000008
【図７】
2012110903.tif 000009
【図８】
2012110903.tif 000010
【図９】
2012110903.tif 000011
【図１０】
2012110903.tif 000012
【図１１】
2012110903.tif 000013